(57)【要約】【課題】取付板の大きさを前後方向において短小化することが可能な自動販売機を提供する。【解決手段】自動販売機の内箱３の庫内４に、蒸発器１０と、庫内４の空気を蒸発器１０へ導入するダクト１１とが設置され、蒸発器１０は内箱３の底板１４上に配置された取付板２２に取付けられ、取付板２２はダクト１１の下端部に一体に形成され、取付板２２に、ドレン水を排出する排水口が形成され、上記底板１４に形成された嵌め込み孔にドレン排水用ノズル２７が嵌込まれ、このノズル２７は上端が排水口に連通するとともに下端が庫外４０に連通する排水孔を有し、上記ノズル２７の上端が取付板２２に連結され、上記底板１４は取付板２２と上記ノズル２７の鍔部２９との間に挟まれている。【選択図】図２
2007148704.tif 000002
【特許請求の範囲】
【請求項１】
自動販売機本体内に、断熱された内箱が設けられ、
内箱の内部である庫内に、冷凍機の蒸発器と、庫内の空気を蒸発器へ導入するダクトとが設置され、
上記蒸発器は内箱の底板上に配置された取付板に取付けられ、
上記取付板はダクトの下端部に連結され、
上記取付板に、ドレン水を排出する排水口が形成され、
上記内箱の底板に形成された嵌め込み孔に、筒状部材が嵌め込まれ、
上記筒状部材は、上端が排水口に連通するとともに下端が内箱の下方の庫外に連通する排水孔を有し、
筒状部材の上端部が取付板に設けられ、
筒状部材の下端部外周に保持部材が設けられ、
上記内箱の底板は取付板と上記保持部材との間に挟まれていることを特徴とする自動販売機。
【請求項２】
筒状部材の上端部が連結手段により取付板に連結され、
保持部材は筒状部材の下端部外周に形成された鍔部であることを特徴とする請求項１記載の自動販売機。
【請求項３】
内箱の底板の前端部と取付板の前端部との間に、内箱の底板の上面が取付板で覆われていない領域を形成したことを特徴とする請求項１又は請求項２に記載の自動販売機。
【請求項４】
取付板はドレン水を集めるための凹部を有しており、
排水口は凹部の底に形成されていることを特徴とする請求項１から請求項３のいずれか１項に記載の自動販売機。
【請求項５】
取付板は、周縁部に、上向きに立ち上げられた複数の立ち上り部を有し、
取付板とダクトとは樹脂で一体に形成されていることを特徴とする請求項１から請求項４のいずれか１項に記載の自動販売機。
【発明の詳細な説明】
【技術分野】
【０００１】
本発明は、庫内に、冷凍機の一部を構成する蒸発器が設置され、庫内に発生したドレン水を庫外へ排水する構造を備えた自動販売機に関する。
【背景技術】
【０００２】
従来、この種の自動販売機としては、図９，図１０に示すように、自動販売機本体７１の内部に、断熱された内箱７２が設けられ、内箱７２の内部である庫内７３に、冷凍機の一部を構成する蒸発器７４と、庫内７３の空気を蒸発器７４へ導入するダクト７５とが設置されたものがある。
【０００３】
庫内７３には商品７６が収納されており、蒸発器７４で冷却された空気によって冷却される。また、上記内箱７２は、底板７７と背板７８と左右一対の側板と天板７９とで構成され、前面が内扉８０によって開閉自在である。上記底板７７は、断熱材からなる断熱用板８１と、この断熱用板８１の下面に設けられた鋼板製の外板８２と、鋼板製の内板８６とで構成されている。この外板８２の前端部は断熱用板８１の前面に添って立ち上げられ、さらにその上部８２ａが断熱用板８１の上面に添って水平に折り曲げられている。
【０００４】
上記ダクト７５は内箱７２の背板７８の内面に添って縦方向に設けられており、ダクト７５の前面下部には、導入口８３が形成されている。
上記蒸発器７４は、ダクト７５からの空気を手前側へ送る送風ファン８４と庫内７３を加熱するヒーター８５と共に、内板８６に取付けられている。この内板８６の後端部はねじ８７でダクト７５の下端部に連結されて固定され、前端部はねじ８８で外板８２の前端上部８２ａに連結されて固定されている。尚、上記内板８６は蒸発器７４を取付けるための取付板としての機能も有するものである。
【０００５】
内板８６には、蒸発器７４の表面に結露した水滴をドレン水として排水するための排水口８９が形成されている。また、上記底板７７には、円筒状のドレン排水用ノズル９０が嵌め込まれている。このドレン排水用ノズル９０の上端は排水口８９に連通し、下端は内箱７２の下方の庫外９１に連通している。ドレン排水用ノズル９０の下端には、蒸発皿９２に通じる排水管９３が接続されている。尚、蒸発皿９２は、自動販売機本体７１内の下部に設けられ、内箱７２の外部下方に配置されている。
【０００６】
これによると、冷凍機を作動させることによって庫内７３が冷却され、この際、送風ファン８４が回転することにより、庫内７３の空気がダクト７５内を通って導入口８３から蒸発器７４に導入される。また、蒸発器７４の表面に結露した水滴は、ドレン水として排水口８９からドレン排水用ノズル９０を通って庫外９１へ排出され、排水管９３を経て蒸発皿９２へ回収される。
【０００７】
尚、下記特許文献１には、内箱の底板にドレン排水用ノズルを嵌め込んだ自動販売機が記載されている。また、下記特許文献２には、断熱底板（底板）の補強用底板（内板）の後端部がダクトの下端部に一体に形成された構成が開示されている。
【特許文献１】特開２００２−４９９６２
【特許文献２】特開２００４−１８５５９０
【発明の開示】
【発明が解決しようとする課題】
【０００８】
しかしながら上記の従来形式では、図１０に示すように、内板８６を内箱７２の底板７７に固定する場合、底板７７の断熱用板８１は発泡スチロール等でできているため、ねじ等を用いて内板８６を直接に断熱用板８１に固定することは困難であった。したがって、従来では、鋼板製の外板８２の前端部を折り曲げ加工し、ねじ８８を用いて内板８６の前端部を外板８２の前端上部８２ａに連結することで、内板８６を底板７７に固定している。しかしながら、このような固定形式では、内板８６の前端部を底板７７の前端部上に位置させる必要があり、このようなことに起因して、内板８６の大きさが前後方向において大型化してしまうといった問題があり、このため材料費や重量が増大した。
【０００９】
本発明は、取付板（従来の内板８６に相当）の大きさを前後方向において短小化することが可能な自動販売機を提供することを目的とする。
【課題を解決するための手段】
【００１０】
上記目的を達成するために、本第１発明における自動販売機は、自動販売機本体内に、断熱された内箱が設けられ、内箱の内部である庫内に、冷凍機の蒸発器と、庫内の空気を蒸発器へ導入するダクトとが設置され、上記蒸発器は内箱の底板上に配置された取付板に取付けられ、上記取付板はダクトの下端部に連結され、上記取付板に、ドレン水を排出する排水口が形成され、上記内箱の底板に形成された嵌め込み孔に、筒状部材が嵌め込まれ、上記筒状部材は、上端が排水口に連通するとともに下端が内箱の下方の庫外に連通する排水孔を有し、筒状部材の上端部が取付板に設けられ、筒状部材の下端部外周に保持部材が設けられ、上記内箱の底板は取付板と上記保持部材との間に挟まれているものである。
【００１１】
これによると、冷凍機を作動させることによって庫内が冷却され、この際、庫内の空気がダクト内を通って蒸発器に導入される。また、蒸発器の表面に結露した水滴は、ドレン水として取付板の排水口から筒状部材の排水孔を通って庫外へ排出される。
【００１２】
また、筒状部材の上端部を取付板に設け、筒状部材の下端部外周に保持部材を設け、内箱の底板を取付板と保持部材との間に挟み込むことにより、取付板は筒状部材を介して内箱の底板に固定される。このような固定形式によって、従来のように取付板（内板８６に相当）の前端部を内箱の底板の前端部上に位置させなくても、筒状部材の設置箇所で取付板を内箱の底板に固定することが可能となる。したがって、取付板の大きさを前後方向において短小化することができ、材料費を低減することができる。
【００１３】
本第２発明における自動販売機は、筒状部材の上端部が連結手段により取付板に連結され、保持部材は筒状部材の下端部外周に形成された鍔部であるものである。
これによると、筒状部材の上端部を取付板に連結し、筒状部材の下端部外周に鍔部を形成し、内箱の底板を取付板と鍔部との間に挟み込むことにより、取付板は筒状部材を介して内箱の底板に固定される。これにより、取付板の大きさを前後方向において短小化することができる。
【００１４】
本第３発明における自動販売機は、内箱の底板の前端部と取付板の前端部との間に、内箱の底板の上面が取付板で覆われていない領域を形成したものである。
これによると、取付板の面積が底板の面積よりも減少するため、材料費や重量を低減することができる。
【００１５】
本第４発明における自動販売機は、取付板はドレン水を集めるための凹部を有しており、排水口は凹部の底に形成されているものである。
これによると、蒸発器の表面に結露した水滴は、取付板の凹部に集められ、ドレン水として排水口から筒状部材の排水孔を通って庫外へ排出される。これにより、ドレン水を取付板上から確実に排水することができる。
【００１６】
本第５発明における自動販売機は、取付板は、周縁部に、上向きに立ち上げられた複数の立ち上り部を有し、取付板とダクトとは樹脂で一体に形成されているものである。
【００１７】
これによると、蒸発器の表面に結露した水滴は、複数の立ち上り部によって堰き止められるため、外側へ零れ落ちることなく、ドレン水として取付板の排水口から排出される。また、取付板とダクトとは樹脂で一体化されているため、複数の立ち上り部間の継ぎ目に隙間が形成されることはなく、したがって、上記継ぎ目における隙間をシール材でシールする必要はなく、製作時の手間を省くことができる。
【発明の効果】
【００１８】
以上のように、本発明によると、取付板は筒状部材を介して内箱の底板に固定されるため、従来のように取付板の前端部を内箱の底板の前端部上に位置させなくても、筒状部材の設置箇所で取付板を内箱の底板に固定することが可能となる。したがって、取付板の大きさを前後方向において短小化することができ、材料費や重量を低減することができる。
【００１９】
また、蒸発器の表面に結露した水滴は取付板の凹部に集められて庫外へ排出されるため、ドレン水を取付板上から確実に排水することができる。
また、蒸発器の表面に結露した水滴は、複数の立ち上り部によって堰き止められるため、外側へ零れ落ちることなく、ドレン水として取付板の排水口から確実に排出される。さらに、取付板とダクトとは樹脂で一体化されているため、複数の立ち上り部間の継ぎ目に隙間が形成されることはなく、したがって、上記継ぎ目における隙間をシール材でシールする必要はなく、製作時の手間を省くことができる。
【発明を実施するための最良の形態】
【００２０】
以下、本発明における実施の形態を図面に基いて説明する。
（実施の形態１）
図１に示すように、１は自動販売機であり、自動販売機本体２の内部には断熱された内箱３が設けられている。内箱３の内部である庫内４には、缶入り飲料等の商品５を収納する収納部６と、収納部６から払い出された商品５を商品取出口７へ移送するシュート８と、庫内４を冷却するための冷凍機９の一部を構成する蒸発器１０と、庫内４の上部の空気を蒸発器１０へ導入するダクト１１と、ダクト１１内の空気を吸引して蒸発器１０に送る庫内用送風ファン１２と、庫内４の空気を加温するためのヒーター１３とが設けられている。
【００２１】
上記内箱３は、底板１４と背板１５と左右一対の側板（図示せず）と天板１６とで構成され、前面が内扉１７によって開閉自在である。図２，図３に示すように、上記底板１４は、断熱材（発泡スチロール等）からなる断熱用板１９と、この断熱用板１９の下面に設けられた鋼板製の外板２０とで構成されている。尚、上記背板１５と側板と天板１６とはそれぞれ断熱材で構成されている。
【００２２】
上記ダクト１１は、横断面がチャンネル形状（コ字形状）をした上下方向に長い部材であり、内箱３の背板１５に添って設けられている。ダクト１１と背板１５とによって空気の流れる通路１８が形成されている。ダクト１１の上端は開口しており、さらに、ダクト１１の前面下部には導入口２１が形成されている。
【００２３】
上記蒸発器１０と庫内用送風ファン１２とヒーター１３とは、上記底板１４上に配置された取付板２２に取付けられている。この取付板２２はダクト１１の下端部に一体に形成されている。また、取付板２２は、四角形の底板部２２ａと、底板部２２ａの前縁部および左右両縁部からそれぞれ上向きに立ち上げられた立ち上り部２２ｂ〜２２ｄとで構成されており、上記各立ち上り部２２ｂ〜２２ｄとダクト１１の前面とで囲まれた凹部２３を有している。
【００２４】
図３に示すように、ダクト１１と取付板２２とは鋼板製であり、取付板２２の四隅コーナー部分における立ち上り部２２ｂ〜２２ｄ同士の継ぎ目Ａおよび立ち上り部２２ｃ，２２ｄとダクト１１の前面との継ぎ目Ｂはそれぞれシール材又は溶接等でシールされている。また、図３，図４に示すように、取付板２２の底板部２２ａには、ドレン水を排出する排水口２５が形成されている。
【００２５】
図５，図６に示すように、上記内箱３の底板１４には、内外に貫通する嵌め込み孔２６が形成されており、この嵌め込み孔２６は、断熱用板１９に形成された孔部２６ａと、外板２０に形成された孔部２６ｂとで構成されている。
【００２６】
上記嵌め込み孔２６には、ドレン排水用ノズル２７（筒状部材の一例）が嵌め込まれている。図７に示すように、ドレン排水用ノズル２７は、材質にプラスチック等の樹脂を用いており、排水孔２８を有する円筒形状に形成され、下端部外周に鍔部２９（保持部材の一例）を備えている。上記排水孔２８の上端は取付板２２の排水口２５に連通し、下端は内箱３の下方の庫外４０に連通している。また、ドレン排水用ノズル２７の外周部の２箇所には係止爪３０が形成されており、鍔部２９と係止爪３０との上下間には、所定の高さの係止用間隙３１が形成されている。
【００２７】
ドレン排水用ノズル２７は、その内部に、下方ほど縮径する円錐部２７ａと、円錐部２７ａの下部から下向きに形成された小径の円筒部２７ｂとを有している。また、ドレン排水用ノズル２７の排水孔２８内の２箇所には、ボス部２７ｃが一体的に形成されている。両ボス部２７ｃは１８０°反対側へ振り分けられており、ボス部２７ｃの下端が円錐部２７ａに一体的に形成され、ボス部２７ｃの外周部の一箇所Ｃがドレン排水用ノズル２７の内周面に一体的に形成されている。両ボス部２７ｃの上端面はドレン排水用ノズル２７の上端面と面一であり、両ボス部２７ｃの上端面にはそれぞれ雌のねじ孔３２が形成されている。
【００２８】
また、図６に示すように、上記底板１４の外板２０には、孔部２６ｂの外周縁から径方向外側へ切り欠かれた２つの切欠部２６ｃが１８０°反対側へ振り分けられて形成されている。上記両係止爪３０は、切欠部２６ｃに対し、上下方向において挿脱自在である。
【００２９】
また、図３，図４に示すように、取付板２２の底板部２２ａには、２個のねじ穴３３が形成されている。図５，図７に示すように、ねじ３４（連結手段の一例）が両ねじ穴３３に挿通されてボス部２７ｃのねじ孔３２にねじ込まれており、これにより、ドレン排水用ノズル２７の上端部が取付板２２に連結され、底板１４が取付板２２とドレン排水用ノズル２７の鍔部２９との間に挟まれる。この際、上記鍔部２９は、底板１４の下面に、下から上方向において係合している。
【００３０】
また、図２に示すように、底板１４の前端部には、上記シュート８の前端部とガスケット４５とが取付けられている。上記ガスケット４５は、内扉１７を閉じた際、内扉１７と内箱３との隙間をシールするものである。
【００３１】
また、図１，図２，図５に示すように、ドレン排水用ノズル２７の下端部には、着脱自在な継ぎ手３６を介して、排水管３７が接続されている。自動販売機本体２の内部で且つ内箱３の下方の庫外４０には、蒸発皿３８と圧縮器４１と凝縮器４２と庫外用送風ファン４３等とが設けられている。尚、上記冷凍機９は、庫内４の蒸発器１０，庫内用送風ファン１２と、庫外４０の圧縮器４１，凝縮器４２，庫外用送風ファン４３とで構成されている。また、上記排水管３７の下端部は蒸発皿３８に連通している。
【００３２】
尚、上記庫内４は複数の区画空間に仕切られており、上記ダクト１１と取付板２２と蒸発器１０と庫内用送風ファン１２とヒーター１３とドレン排水用ノズル２７と排水管３７とはそれぞれ、上記区画空間毎に設けられている。
【００３３】
以下、上記構成における作用を説明する。
ドレン排水用ノズル２７を内箱３の底板１４に取付けるには、先ず、図３に示すように、ドレン排水用ノズル２７を下方から嵌め込み孔２６に嵌め込む。この際、図６の仮想線で示すように、ドレン排水用ノズル２７の係止爪３０を外板２０の切欠部２６ｃに挿入し、この状態で、ドレン排水用ノズル２７を９０°回す。これにより、図５に示すように、外板２０が鍔部２９と係止爪３０との間の係止用間隙３１に入り込むため、ドレン排水用ノズル２７が外板２０に係止される。
【００３４】
次に、図７に示すように、ねじ３４を取付板２２のねじ穴３３に挿通してボス部２７ｃのねじ孔３２にねじ込むことにより、図５に示すように、ドレン排水用ノズル２７が取付板２２に連結される。その後、ドレン排水用ノズル２７の下端部に継ぎ手３６を装着して排水管３７を接続する。
【００３５】
上記のようにしてドレン排水用ノズル２７を取付板２２に連結し、内箱３の底板１４を取付板２２とドレン排水用ノズル２７の鍔部２９との間に挟み込むことにより、取付板２２はドレン排水用ノズル２７を介して上記底板１４に固定される。このような固定形式によって、従来のように取付板に相当する内板８６（図１０参照）の前端部を内箱の底板７７（図１０参照）の前端部上に位置させなくても、ドレン排水用ノズル２７の設置箇所で取付板２２を底板１４に固定することが可能となる。したがって、図２に示すように、取付板２２の大きさを前後方向において短小化することができ、材料費や重量を低減することができる。尚、上記のように、取付板２２の大きさを前後方向において短小化することによって、取付板２２の前端部を底板１４の前端部上から後方へ後退させることができる。
【００３６】
また、図３に示すように、取付板２２はダクト１１の下端部に一体化されているため、ねじ等の部品を用いて取付板２２をダクト１１の下端部に連結固定する必要はなく、上記ねじ等の部品点数を削減することができる。
【００３７】
また、冷凍機９を作動させることによって、冷却設定されている箇所の庫内４が冷却され、この際、回転する庫内用送風ファン１２によって、庫内４の上部の空気が、ダクト１１内を通って導入口２１から導入され、蒸発器１０へ送られる。
【００３８】
図３，図７に示すように、蒸発器１０の表面に結露した水滴は、立ち上り部２２ｂ〜２２ｄによって堰き止められて凹部２３に集められるため、外側へ零れ落ちることなく、ドレン水として取付板２２の排水口２５からドレン排水用ノズル２７の排水孔２８を通り、排水管３７を経て庫外４０の蒸発皿３８へ排出され、蒸発皿３８で蒸発する。これにより、ドレン水を取付板２２上から確実に排水することができる。
【００３９】
また、上記ドレン水の一部がねじ３４と取付板２２のねじ穴３３との隙間に流入しても、図７に示すように、ボス部２７ｃはドレン排水用ノズル２７の排水孔２８内に設けられているため、上記ねじ３４とねじ穴３３との隙間に流入したドレン水も、ドレン排水用ノズル２７の排水孔２８内に回収され、この排水孔２８を通って排出される。これにより、ねじ３４とねじ穴３３との隙間をシール材等でシールする必要はなく、上記シール材等を不要にするとともに、ねじ３４とねじ穴３３との隙間に流入したドレン水が取付板２２と内箱３の底板１４との間に漏出するのを防止することができる。
【００４０】
上記実施の形態１では、２本のねじ３４を用いて取付板２２とドレン排水用ノズル２７とを連結しているが、１本又は３本以上の複数本のねじ３４を用いて連結してもよい。また、ドレン排水用ノズル２７に２つのボス部２７ｃを形成しているが、上記ねじ３４の本数に応じて、１つ又は３つ以上の複数形成してもよい。さらに、ドレン排水用ノズル２７に２個の係止爪３０を設けているが、１個は３個以上の複数個設けてもよい。
【００４１】
上記実施の形態１では、上記のように取付板２２の大きさを前後方向において短小化することができるため、図２に示すように、底板１４の断熱用板１９の上面には、取付板２２で覆われている領域と、取付板２２で覆われていない領域Ｄとが発生する。この領域Ｄにおいて、断熱用板１９の上面に防水用の薄いフィルムを貼り付け、水分が上記領域Ｄから断熱用板１９内に浸透するのを防止してもよい。
【００４２】
（実施の形態２）
先述した実施の形態１では、ダクト１１と取付板２２とを鋼板製で一体に形成しているが、本実施の形態２では、ダクト１１と取付板２２とをプラスチック等の樹脂製で一体に形成している。
【００４３】
これによると、図３に示すように、取付板２２の四隅コーナー部分における立ち上り部２２ｂ〜２２ｄ同士の継ぎ目Ａおよび立ち上り部２２ｃ，２２ｄとダクト１１の前面との継ぎ目Ｂに隙間が形成されることはない。このため、各継ぎ目Ａ，Ｂにおける隙間をシール材や溶接等でシールする必要はなく、製作時の手間を省くことができる。
【００４４】
（実施の形態３）
先述した実施の形態１では、図７に示すように、取付板２２とドレン排水用ノズル２７とを連結する連結手段の一例としてねじ３４を用いたが、ねじ３４以外のものを用いてもよい。
【００４５】
例えば、本実施の形態３として、図８に示すように、取付板２２の底板部２２ａには、下方へ突出する円筒状の短い排水用筒２２ｅが設けられている。この排水用筒２２ｅの下端部には、径方向外側へ突出した外向き突出部４８（連結手段の一例）が全周にわたって形成されている。
【００４６】
ドレン排水用ノズル２７の上端部には、径方向外側へ窪んだ外向き窪み部４９（連結手段の一例）が全周にわたって形成されている。上記排水用筒２２ｅは、底板１４の断熱用板１９の孔部２６ａに上方から挿入されているとともに、ドレン排水用ノズル２７の上端部に差し込まれている。この際、外向き突出部４８が外向き窪み部４９に嵌まり込み、取付板２２とドレン排水用ノズル２７とが連結される。
【００４７】
尚、本実施の形態３におけるドレン排水用ノズル２７には、実施の形態１に示したような係止爪３０やボス部２７ｃは設けられていない。
これによると、ドレン排水用ノズル２７を下方から嵌め込み孔２６に嵌め込み、取付板２２の外向き突出部４８をドレン排水用ノズル２７の外向き窪み部４９に嵌め込むことによって、ドレン排水用ノズル２７が取付板２２に連結される。
【００４８】
このようにしてドレン排水用ノズル２７を取付板２２に連結し、内箱３の底板１４を取付板２２とドレン排水用ノズル２７の鍔部２９との間に挟み込むことにより、取付板２２はドレン排水用ノズル２７を介して上記底板１４に固定される。このような固定形式によって、従来のように内板８６（図１０参照）の前端部を内箱の底板７７（図１０参照）の前端部上に位置させなくても、ドレン排水用ノズル２７の設置箇所で取付板２２を底板１４に固定することが可能となる。したがって、取付板２２の大きさを前後方向において短小化することができる。
【００４９】
上記実施の形態３では、取付板２２の排水用筒２２ｅに外向き突出部４８を形成し、ドレン排水用ノズル２７に外向き窪み部４９を形成しているが、上記取付板２２の排水用筒２２ｅに、径方向内側へ窪んだ内向き窪み部を全周にわたり形成し、上記ドレン排水用ノズル２７に径方向内側へ突出した内向き突出部を全周にわたり形成し、内向き突出部を内向き窪み部に嵌め込むことによって、取付板２２をドレン排水用ノズル２７に連結してもよい。
【００５０】
上記各実施の形態では、筒状部材の一例としてドレン排水用ノズル２７を用い、保持部材の一例として鍔部２９をドレン排水用ノズル２７に形成しているが、筒状部材の別の例として、鋼板製等の円筒形のノズルを用い、このノズルの上端部を取付板２２の底板部２２ａに一体に設け、上記ノズルを嵌め込み孔２６に嵌め込み、上記ノズルの下端部外周に継ぎ手３６を取付け、継ぎ手３６を介して排水管３７を接続してもよい。この場合、継ぎ手３６が保持部材の役割を果たし、内箱３の底板１４が取付板２２と継ぎ手３６との間に挟まれる。
【図面の簡単な説明】
【００５１】
【図１】本発明の実施の形態１における自動販売機の内部を示した側面図である。
【図２】同、自動販売機の内箱の底板近辺を側方から見た断面図である。
【図３】同、自動販売機の内箱の底板近辺の斜視図である。
【図４】同、自動販売機の取付板に形成された排水口の図である。
【図５】同、自動販売機の内箱の底板にドレン排水用ノズルを嵌め込んで、取付板とドレン排水用ノズルとを連結した図である。
【図６】同、自動販売機の内箱の底板に形成された嵌め込み孔の図である。
【図７】同、自動販売機のドレン排水用ノズルの図であり、（ａ）は縦断面、（ｂ）は（ａ）におけるＸ−Ｘ矢視を示す。
【図８】本発明の実施の形態３における自動販売機の取付板とドレン排水用ノズルとの連結構造を示す縦断面図である。
【図９】従来の自動販売機の内部を示した側面図である。
【図１０】同、自動販売機の内箱の底板近辺を側方から見た断面図である。
【符号の説明】
【００５２】
１      自動販売機
２      自動販売機本体
３      内箱
４      庫内
９      冷凍機
１０    蒸発器
１１    ダクト
１４    底板
１９    断熱用板
２０    外板
２２    取付板
２２ｂ〜２２ｄ    立ち上り部
２３    凹部
２５    排水口
２６    嵌め込み孔
２７    ドレン排水用ノズル（筒状部材）
２７ｃ    ボス部
２８    排水孔
２９    鍔部（保持部材）
３３    ねじ穴
３４    ねじ（連結手段）
４０    庫外
４８    外向き突出部（連結手段）
４９    外向き窪み部（連結手段）
【図１】
2007148704.tif 000003
【図２】
2007148704.tif 000004
【図３】
2007148704.tif 000005
【図４】
2007148704.tif 000006
【図５】
2007148704.tif 000007
【図６】
2007148704.tif 000008
【図７】
2007148704.tif 000009
【図８】
2007148704.tif 000010
【図９】
2007148704.tif 000011
【図１０】
2007148704.tif 000012